(57)【特許請求の範囲】
【請求項１】
時計用アームバンドであって、アームバンドの長手方向延在部に対して横方向で延びる調節軸線（２）を中心にして旋回可能に別の構成部材に結合され且つアームバンドの長手延在方向で別の構成部材に対して相対的に調節可能なバンド端部部材（１）が設けられており、この場合、前記バンド端部部材（１）が、ほぼバンド平面内でアームバンドの長手方向延在部に対して横方向で延びる前記調節軸線（２）を中心として旋回可能に旋回部材（３）に枢着されており、該旋回部材（３）が、前記調節軸線（２）に対して平行な旋回軸線（４）を中心として約１８０°だけ旋回可能に別の構成部材に結合されており、前記調節軸線（２）と旋回軸線（４）とが、ほぼアームバンドの長手方向延在部に相前後して配置されて位置している形式のものにおいて、
前記旋回部材（３）が、旋回終端位置において係止可能であって、前記旋回部材（３）が係止部材（５）を有しており、該係止部材（５）が予備荷重のかけられた圧縮ばね（１３）によって別の構成部材に対して押し付けられており且つ旋回部材（３）の旋回終端位置において別の構成部材の係止切欠き（６）に突入係合可能であることを特徴とするアームバンド。
【請求項２】
前記別の構成部材がアームバンドのクロージャのクロージャ部材である、請求項１記載の装置。
【請求項３】
前記別の構成部材が時計ケーシングのバンド接続部材である、請求項１記載の装置。
【請求項４】
旋回部材（３）が、旋回終端位置において係止装置によって係止可能である、請求項１から３までのいずれか１項記載の装置。
【請求項５】
旋回部材（３）の軸方向端部域が、別の構成部材の側面部材（７）によって把持されており、該側面部材（７）に係止切欠き（６）が形成されており、旋回部材（３）の軸方向端部域に設けられた係止部材（５）が、ばねによって、係止切欠き（６）を有する前記側面部材（７）に対して押し付けられている、請求項１記載の装置。
【請求項６】
旋回部材（３）が、２つの自由脚片（９）とこれらの自由脚片（９）を接続するベース部とから成るほぼＵ字形に形成されており、前記バンド端部部材（１）が"Ｕ"字の開口に突入しており、旋回軸線（４）が"Ｕ"字のベース部に配置されており、調節軸線（２）が"Ｕ"字の自由脚片（９）の領域に配置されている、請求項１から５までのいずれか１項記載の装置。
【請求項７】
バンド端部部材（１）が、 前記"Ｕ"字の開口に突入している領域に貫通孔（１０）を有しており、該貫通孔が、前記"Ｕ"字の２つの自由脚片（９）にそれぞれ設けられた貫通係合されるべき係止孔（１１）と同軸的に形成されており、これらの係止孔（１１）内にそれぞれ１つのピン（１２）が配置されていて、これらのピンのそれぞれ一方の端部がバンド端部部材（１）の貫通孔（１０）に突入して調節軸線（２）を形成しており、前記２つのピンが、貫通孔（１０）内に配置された、予備荷重のかけられた圧縮ばね（１３）によって互いに離反するように付勢されており且つ係止孔（１１）から突出している他方の端部において係止ヘッド（１４）として形成されている、請求項６記載の装置。
【請求項８】
前記クロージャ部材が、Ｚ形に折畳み可能なクロージャのカバー端部部材（１５）であり、該カバー端部部材に中間部材（１６）が枢着されており、更に、該中間部材にベース部材（１７）が枢着されており、折畳み状態で前記カバー端部部材（１５）が前記ベース部材（１７）に係止継ぎ手（１８）を介して結合可能である、請求項２記載の装置。
【請求項９】
ベース部材（１７）が係止支持体（１９）を有しており、該係止支持体の側面域（３３）が、Ｚ形のクロージャの折畳み状態で、ほぼＵ字形に形成された、バンド端部部材（１）とは反対の側のカバー端部部材（１５）の端部（２０）によって把持されており、該側面域（３３）において係止継ぎ手（１８）の係止突起（２１）が突出しており、該係止突起が、ばね力に抗して係止支持体（１９）に突入可能であり且つＵ字形に形成されたカバー端部部材（１５）の端部（２０）の脚部（２３）に設けられた係止凹部（２２）に突入係合可能であり、前記係止支持体（１９）の各側面域（３３）において係止突起（２１）が突出しており、Ｕ字形に形成されたカバー端部部材（１５）の端部（２０）の各脚部（２３）が前記係止凹部（２２）を有している、請求項８記載の装置。
【発明の詳細な説明】
【０００１】
本発明は、時計用アームバンドであって、アームバンドの長手方向延在部に対して横方向で延びる調節軸線を中心にして旋回可能に別の構成部材に結合され且つアームバンドの長手延在方向で別の構成部材に対して相対的に調節可能なバンド端部部材が設けられており、この場合、前記バンド端部部材が、ほぼバンド平面内でアームバンドの長手方向延在部に対して横方向で延びる前記調節軸線を中心として旋回可能に旋回部材に枢着されており、該旋回部材が、前記調節軸線に対して平行な旋回軸線を中心として約１８０°だけ旋回可能に別の構成部材に結合されており、前記調節軸線と旋回軸線とが、ほぼアームバンドの長手方向延在部に相前後して配置されて位置している形式のものに関する。
【０００２】
このような形式のアームバンドは、スイス国主又は追加特許第６６３５２２号明細書に基づき公知である。
【０００３】
この公知のアームバンドの場合は、旋回部材が常に自由に旋回可能なので、長さ調節装置が不本意に自動的に調節される恐れがある。
【０００４】
従って本発明の課題は、冒頭で述べた形式のアームバンドを改良して、簡単に構成され且つ小さな構造サイズを有する、長さの自動調節を防止するアームバンドを提供することである。
【０００５】
この課題は、本発明では、前記旋回部材が、旋回終端位置において係止可能であって、前記旋回部材が係止部材を有しており、該係止部材が予備荷重のかけられた圧縮ばねによって別の構成部材に対して押し付けられており且つ旋回部材の旋回終端位置において別の構成部材の係止切欠きに突入係合可能であることによって解決される。
【０００６】
旋回部材が１８０°だけ簡単に旋回することにより、調節軸線と旋回軸線との間の２倍の距離の長さ変化が得られ、このことは、旋回部材の変位延いては小さな構造サイズを有する長さ調節装置全体の変位を可能にする。旋回部材自体が係止可能なので、不本意な旋回延いては長さ変更が防止されている。
【０００７】
別の構成部材は、アームバンドのクロージャの閉鎖部材であるか、又は時計ケーシングのバンド接続部材であってよい。
【０００８】
旋回部材が不本意には旋回されず、これにより不都合な長さ変化は生じないということを保証するためには、旋回部材は旋回終端位置において係止装置によって係止可能であってよい。
【０００９】
このためには、旋回部材は簡単な構成の係止部材を有しており、この係止部材は、予備荷重のかけられた圧縮ばねによって別の構成部材に対して押し付けられており且つ旋回部材の旋回終端位置において、別の構成部材の係止切欠きに突入係合可能である。
【００１０】
旋回部材の軸方向端部域が、別の構成部材の側面部材によって把持されており、係止切欠きが前記側面部材に形成されており、しかも、旋回部材の軸方向端部域に設けられた係止部材がばねによって、係止切欠きを有する側面部材に対して押し付けられている場合は、長さ調節装置は損傷に対して保護されており且つアームバンドの装着時は見えない。
【００１１】
この場合、各側面部材に対して対称的に負荷するように係止部材が配置されているということは明らかである。
【００１２】
旋回部材が、２つの自由脚片（９）とこれらの自由脚片（９）を接続するベース部とから成るほぼＵ字形に形成されており、前記バンド端部部材が"Ｕ"字の開口に突入しており、旋回軸線が"Ｕ"字のベース部に配置されており、調節軸線が"Ｕ"字の自由脚片の領域に配置されていると、少数の構成部材を有する特に簡単な構造が得られる。
【００１３】
バンド端部部材が、前記"Ｕ"字形の開口に突入している領域に貫通孔を有しており、この貫通孔が、前記"Ｕ"字形の２つの自由脚片にそれぞれ設けられた貫通係合されるべき係止孔と同軸的に形成されており、これらの係止孔内にそれぞれ１つのピンが配置されており、これらのピンのそれぞれ一方の端部が、バンド端部部材の貫通孔に突入して調節軸線を形成しており且つ前記貫通孔内に配置された、予備荷重のかけられた圧縮ばねによって互いに離反するように付勢されており、更に、前記２つのピンが、係止孔から突出している他方の端部において係止ヘッドとして形成されていると、前記ピンはダブル機能で、バンド端部部材がそれを中心として旋回可能な調節軸線としても、旋回部材を旋回終端位置で位置固定するための係止ヘッドとしても役立つ。
【００１４】
この場合、両端部で以て各１つのピンに支持されている唯一のばねが使用されてよい。
【００１５】
クロージャと長さ調節装置との組み合わせは、クロージャ部材がＺ形の折畳み可能なクロージャのカバー端部部材であり、このカバー端部部材に中間部材が枢着されており、更に、この中間部材にベース部材が枢着されており、前記カバー端部部材が、折畳み状態で前記ベース部材に係止継ぎ手を介して結合可能であることにより、簡単に得られる。
【００１６】
このためには、ベース部材は係止支持体を有しており、この係止支持体の側面域は、Ｚ形のクロージャの折畳み状態で、ほぼＵ字形に形成された、バンド端部部材とは反対の側のカバー端部部材の端部によって把持されている。この場合、側面域において係止突起が突出しており、この係止突起は、ばね力に抗して係止支持体に突入可能であり且つＵ字形に形成されたカバー端部部材の端部の脚部に設けられた係止凹部に突入係合可能である。
【００１７】
この場合も、係止支持体の各側面域において係止突起が突出しており、Ｕ字形に形成されたカバー端部部材の端部の各脚部が係止凹部を有していることが、クロージャの保護と対称的な負荷の両方のために役立つ。
【００１８】
ベース部材がバンド長手方向で係止支持体の両側に向かって延びている場合、係止支持体は、各Ｚ部分に上で述べた形式の長さ調節装置が設けられていてよいダブルＺクロージャの構成部材であってよい。
【００１９】
以下に、本発明の実施例を図面につき詳しく説明する。
【００２０】
図示のクロージャは、それぞれダブルＺクロージャとして形成されており且つ中央域に係止支持体１９の配置されたベース部材１７を有している。このベース部材１７の両自由端部には、それぞれバンド長手方向に対して横方向でベース部材１７の平面内で延びる軸２４を中心として旋回可能に、中間部材１６の一方の自由端部が枢着されている。この中間部材１６は、ほぼＵ字形に形成されており且つクロージャの折畳み状態においては、その脚片２５で以てベース部材１７を包囲する。
【００２１】
Ｕ字形の中間部材１６のベース域には、軸２４に対して平行な軸線２７を中心として旋回可能に、カバー端部部材１５の端部が枢着されている。このカバー端部部材１５は、Ｕ字形の横断面を有する薄板部材として形成されており且つＵ字を形成する側面部材７の脚部を有している。この場合、カバー端部部材１５は、一方の端部においてその側面部材７を以てベース２６の周面に係合しており且つこの領域で中間部材１６にも枢着されている。
【００２２】
軸線２７に対して平行に、旋回部材３が旋回軸線４を中心として旋回可能にカバー端部部材１５に枢着されている。この場合、旋回軸線４もやはり側面部材７間に延びている。
【００２３】
旋回部材３は、Ｕ字形に形成されており且つＵ字のベース８を形成する軸ピンを有している。この軸ピンからは、ベース８に固定的に配置されたＵ字の自由脚片９が突出している。
【００２４】
前記軸ピンは、旋回軸線４に対して同軸的に延びており且つ両端部を以て自由脚片９に設けられた対応する貫通孔２９に挿入されている。
【００２５】
前記軸ピンに対して同軸的に配置された旋回ピン２８を介して、旋回部材３は旋回可能にカバー端部部材１５に固定されている。旋回部材３の脚片９の自由端部域には、旋回軸線４に対して平行に自由脚片９を貫通する係止孔１１が形成されている。
【００２６】
バンド端部部材１の一方の端部は、旋回部材３のＵ字の開口に突入しており且つ係止孔１１に対して同軸的に形成された貫通孔１０を有している。この貫通孔１０内には軸方向でプレロードのかけられた螺旋状の圧縮ばね１３が配置されており、この圧縮ばね１３は、貫通孔１０内に配置された支持リング３０を介して、係止部材５を横方向でバンド端部部材１から離反するように負荷する。
【００２７】
係止部材５はピン１２を有しており、このピン１２は、一方の端部を以て係止孔１１を貫通して貫通孔１０に突入し、この貫通孔１０において支持リング３０を介して圧縮ばね１３によって負荷される。係止孔１１を貫通して貫通孔１０に突入する前記ピン１２は調節軸線２を形成しており、この調節軸線２を中心としてバンド端部部材１が旋回可能に旋回部材３に枢着されている。前記ピン１２の、係止孔１１から突出している他方の端部には係止ヘッド１４が設けられており、この係止ヘッド１４は、カバー端部部材１５の側面部材７の内側に支持されている。
【００２８】
特に図６ａ及び図６ｂに示したように、旋回部材３は、カバー端部部材１５のＵ字形の端部に対して向けられた第１の旋回終端位置（図６ａ）と、カバー端部部材１５のＵ字形の端部とは反対の側に向けられた第２の旋回終端位置（図６b）との間で約１８０°だけ、旋回軸線４を中心として旋回可能である。
【００２９】
側面部材７の内側には、カバー端部部材１５の長手方向延在部において延びる溝が形成されている。この溝は係止切欠き６を形成しており、この係止切欠き６に係止部材５の係止ヘッド１４が各旋回終端位置で突入係合して、これにより、旋回部材３を前記の各旋回終端位置で係止する。この場合、図６ａ及び図６ｂに見られるように、バンド端部部材１は旋回終端位置において向きを変えずに留まっており、旋回部材３と一緒には旋回しない。バンド端部部材１が、図６ｂに示した位置で旋回部材３のベース８の領域に被さるように係合できるようにするためには、バンド端部部材１は対応して旋回軸線４に対して平行に一貫して延びる溝３１を有している。
【００３０】
チェーンアームバンドの別の部材又は別のアームバンドの部材を枢着するために、旋回部材３に対する枢着部とは反対の側のバンド端部部材１の端部には、旋回軸線４に対して平行な貫通孔３２が設けられている。
【００３１】
両旋回部材３の異なる旋回終端位置への旋回に応じて、アームバンドの長さ調節が４段階で可能である。
【００３２】
図１，図７，図８及び図９に示したように、カバー端部部材１５は、長さ調節装置もクロージャも共通の構成部材を形成している。
【００３３】
クロージャを、カバー端部部材１５のＵ字形の端部２０の切欠きを以て係止支持体１９に周面係合する折り畳み位置において係止するためには、Ｕ字形の端部２０により周面係合される係止支持体１９の側面領域に、係止継ぎ手１８の係止突起２１が配置されている。これらの係止突起２１は、それぞれ係止支持体１９の側面域３３において突出しており且つばね力を克服して係止支持体１９に突入運動可能である。中間部材１６のベース２６の領域から、脚片２５とはほぼ反対方向で、中間部材１６は２本の突出するアーム３４を有しており、これらのアーム３４は、クロージャの折畳み状態において、係止支持体１９の係止突起２１の領域に周面係合する。この位置で係止突起２１に向かい合うように、アーム３４には係止凹部２２が形成されており、この係止凹部２２に係止突起２１が突入係合可能である。
【００３４】
係止支持体１９は、ケーシング内室３５を有するケーシングとして形成されている。前記ケーシング内室３５にはバンド長手方向で見て相並んで２つの収容切欠き３６が形成されており、これらの収容切欠き３６内には、それぞれプレロードのかけられた螺旋状の圧縮ばね３７が配置されている。これらの圧縮ばね３７の螺旋開口には、それぞれ半径方向で突出している環状の縁部４０を有する係止部材３９のピン３８が挿入されており、このピン３８は、前記縁部４０によって圧縮ばね３７の端部に支持されている。係止部材３９は、ピン３８とは反対の側に係止突起２１を有しており、この係止突起２１は、係止支持体１９の側壁に設けられた開口４１を貫通して外側に向かって突出している。縁部４０は、半径方向で開口４１よりも幅広に延在しているので、前記縁部４０によって、係止部材３９の外側に向かう運動の可能性を制限するためのストッパも形成される。
【００３５】
この場合、図７では開口４１は挿入用部材４２に形成されており、この挿入用部材４２は、ベース部材１７に固定的に配置された係止支持体１９にねじ締結されている。
【００３６】
図９では、係止支持体１９はベース部材１７に固定的に結合されたほぼＵ字形のボトム部材４３を有しており、このボトム部材４３には、ボックス形のケーシング部材４４を被せ嵌めることができる。この場合、ボトム部材４３の自由脚片は、バンド長手方向に対して横方向に向けられたケーシング側壁を形成しており、これらのケーシング側壁に開口４１が形成されている。
【００３７】
カバー端部部材１５の脚部２３は、中間部材１６のアーム３４に周面係合してこの中間部材１６に枢着されている。この場合、図８及び図９では、前記枢着部の旋回軸は、枢着ピン４５が脚部２３の領域の側面部材７に内向きに突出するように配置されていることによって形成されており、前記枢着ピン４５は、アーム３４に設けられた対応する孔４６を貫通して突出している。内側に向かって突出している枢着ピン４５の端面には係止凹部２２が設けられており、係止部材３９に被さって係止することができる。
【００３８】
図７では、アーム３４に周面係合するカバー端部部材１５の脚部２３の領域に、互いに整合するように孔４７，４８が形成されている。この場合、孔４８にはブシュ４９が挿入されており、このブシュ４９は、中間部材１６のためのジャーナルとして働くように、孔４７に突入する。
【００３９】
前記ブシュ４９には、このブシュ４９の段部５２に支持されたばねリング５０が挿入されている。
【００４０】
外側に向かって突出しているプッシュボタン５１は、外側からばねリング５０に当接している。前記プッシュボタン５１を負荷することにより、このプッシュボタンがブシュ４９に突入運動することができ、孔４７においてシフト可能なロッド５３が孔４７から突出するように負荷可能である。プッシュボタン５１によってロッド５３が負荷されない場合は、ロッド５３は孔４７の開口が係止凹部２２を形成するように、孔４７に埋没している。
【００４１】
閉鎖されたクロージャを開くためには、プッシュボタン５１をブシュ４９に突入運動させ、これにより、ロッド５３が係止突起２１を、係止凹部２２を形成する孔４７の開口から突出運動させる。これにより、係止継ぎ手１８が解除されてクロージャは開放状態にある。
【図面の簡単な説明】
【図１】  アームバンドのクロージャの斜視図である。
【図２】  図１に示したクロージャの長さ調節装置の分解図である。
【図３】  ａ，ｂ，ｃ，ｄ，ｅは、図２に示した長さ調節装置の組立て段階の分解図である。
【図４】  図２に示した長さ調節装置の一部を係止装置の領域で垂直方向に横断した図である。
【図５】  図２に示した長さ調節装置の一部を係止装置の領域で水平方向に横断した図である。
【図６】  ａ，ｂは、図２に示した長さ調節装置の旋回終端位置における斜視図である。
【図７】  図１に示したクロージャの分解図である。
【図８】  アームバンドのクロージャの第２実施例の斜視図である。
【図９】  図８に示したクロージャの分解図である。
【符号の説明】
１  バンド端部部材、２  調節軸線、３  旋回部材、４  旋回軸線、５  係止部材、６  係止切欠き、７  側面部材、８  ベース、９  脚片、１０  貫通孔、１１  係止孔、１２  ピン、１３  圧縮ばね、１４  係止ヘッド、１５  カバー端部部材、１６  中間部材、１７  ベース部材、１８  係止継ぎ手、１９  係止支持体、２０  Ｕ字形の端部、２１  係止突起、２２  係止凹部、２３  脚部、２４  軸、２５  脚片、２６  ベース、２７  軸線、２８  旋回ピン、２９  貫通孔、３０  支持リング、３１  溝、３２  貫通孔、３３  側面域、３４  アーム、３５  ケーシング内室、３６  収容切欠き、３７  圧縮ばね、３８  ピン、３９  係止部材、４０  縁部、４１  開口、４２  挿入用部材、４３  ボトム部材、４４  ケーシング部材、４５  枢着ピン、４６、４７，４８  孔、４９  ブシュ、５０  ばねリング、５１  プッシュボタン、５２  段部、５３  ロッド
【図１】
0004280408.tif 000002
【図２】
0004280408.tif 000003
【図３】
0004280408.tif 000004
【図４】
0004280408.tif 000005
【図５】
0004280408.tif 000006
【図６】
0004280408.tif 000007
【図７】
0004280408.tif 000008
【図８】
0004280408.tif 000009
【図９】
0004280408.tif 000010